(57)【要約】【課題】リード線を流れる電流による磁界によって第２の可動接触子が閉極方向に駆動されるのを防止する。【解決手段】第１の可動接触子４と、第２の可動接触子５と、第２の可動接触子５の他端に一端が接続されるリード線８と、該リード線８の他端が電気的に接続される電源側端子２とを備えた回路遮断器において、前記リード線８と前記第２の可動接触子５との間に磁性体からなる磁気シールド材１２を設ける。【選択図】図１
2011198586.tif 000002
【特許請求の範囲】
【請求項１】
第１の可動接点を有し、開閉機構により開閉駆動される第１の可動接触子と、
前記第１の可動接点と接触する第２の可動接点を一端に有し、接触ばねにより前記第１の可動接触子に向かって付勢される回動自在な第２の可動接触子と、
前記第２の可動接触子の他端に一端が接続され、前記第２の可動接触子と電流が逆向きとなるように配置されたリード線と、
前記リード線の他端が電気的に接続される端子導体とを備えた回路遮断器において、
前記リード線と前記第２の可動接触子との間に、磁気シールド材を設けたことを特徴とする回路遮断器。
【請求項２】
前記磁気シールド材は、コ字状からなり、前記第２の可動接触子を包囲するように配置されていることを特徴とする請求項１に記載の回路遮断器。
【請求項３】
前記磁気シールド材あるいは前記リード線に絶縁処理を施したことを特徴とする請求項１又は２に記載の回路遮断器。
【発明の詳細な説明】
【技術分野】
【０００１】
本発明は、配線用遮断器、漏電遮断器などの回路遮断器に関し、特に、短絡電流を遮断する際に、接触子が両開きする反発形の回路遮断器に関する。
【背景技術】
【０００２】
この種の反発形の回路遮断器として、特許文献１に開示された回路遮断器が知られている。図３は、従来の反発形の３極回路遮断器の閉路状態を示す要部縦断面図、図４は、図３に示す第２の可動接触子周辺の斜視図、図５は、図３に示す回路遮断器のオン状態とオフ状態を示す動作説明図である。また、図６は、図５（ｂ）のＢ−Ｂ矢視断面図であり、開極動作時における第２の可動接触子とリード線間に作用する電磁力を表している。
【０００３】
図において、１はケースとカバーからなる本体ケース、２は本体ケース１に固定された端子導体からなる電源側端子、３は本体ケース１に固定された端子導体からなる負荷側端子、４は一端に第１の可動接点４ａを有する第１の可動接触子、５は一端に前記第１の可動接点４ａと接触する第２の可動接点５ａを有する第２の可動接触子、６は各極の第１の可動接触子４を支点ピン４ｂにより軸支保持するとともに、図示しない開閉機構に連結されたホルダであり、本体ケース１に回動自在に支持されている。
【０００４】
７は前記第１の可動接触子４の他端に一端が接続された可撓性のリード線であり、他端が図示しない過電流引外し装置を介して負荷側端子３に接続されている。
８は前記電源側端子２に一端が接続されるとともに、他端が前記第２の可動接触子５の他端の両側面にそれぞれ接続された可撓性のリード線、９は前記第２の可動接触子５の他端を支点ピン５ｃにより回動自在に支持するＵ字状の支持フレームである。
【０００５】
１０は第２の可動接触子５を第１の可動接触子４側に押圧するねじりばねからなる接触ばねであり、図４に示すように、一端が第２の可動接触子５を貫通するピン５ｂに係合し、他端が支持フレーム９に係合している。
【０００６】
１１は第１および第２の可動接触子４、５を囲むように配置された複数の磁性板を有する消弧装置、１２は図示しない開閉機構を介してホルダ６及び第１の可動接触子４を開閉操作する操作ハンドルである。
【０００７】
上述した構成において、電流ｉは、図５（ａ）に示すように、電源側端子２、リード線８、第２の可動接触子５、第２の可動接点５ａ、第１の可動接点４ａ、第１の可動接触子４、リード線７を経由して、図示しない過電流引外し装置、負荷側端子３に流れる。
【０００８】
かかる回路遮断器の開閉動作は周知の通りであり、操作ハンドル１２を開閉操作すると開閉機構を介してホルダ６及び第１の可動接触子４が開閉駆動され、接点がオンオフする。
【０００９】
また、図５（ａ）に示す回路遮断器のオン状態において、短絡電流などの大電流が流れると、第１の可動接触子４と第２の可動接触子５との間に電磁反発力Ｆ１、Ｆ２が発生し、図５（ｂ）に示すように両接触子は互いに離れる方向に開極する。ここで、第２の可動接触子５は接触ばね１０に抗して図の反時計方向に回動され、第１の可動接触子４から開離する。  また、第１の可動接触子４は図の時計方向に回動され、トリップした開閉機構により、第１の可動接触子４の開極位置で保持される。
【００１０】
電流遮断時には、第１の可動接触子４と第２の可動接触子５の接点４ａ、５ａ間にアークａｒｃが発生し、該アークａｒｃは消弧装置１１側に引き伸ばされて、磁性板により分断され、陰極・陽極降下および冷却作用により消滅する。
【００１１】
また、図６に示すように、前記リード線８には、該リード線８を流れる電流ｉによって磁界φ１が発生し、前記第２の可動接触子５には、該第２の可動接触子５を流れる電流によって磁界φ２が発生する。
【先行技術文献】
【特許文献】
【００１２】
【特許文献１】特開平３−１１５１８号公報
【発明の概要】
【発明が解決しようとする課題】
【００１３】
ところで、従来の回路遮断器は、電源側端子２と第２の可動接触子５との間を可撓性のリード線８で接続し、電源側端子２からリード線８を介して第２の可動接触子５に電流を通電させている。
【００１４】
しかしながら、図５（ｂ）に示すように、第２の可動接触子５を流れる電流と、リード線８を流れる電流の向きが逆向きであることから、図６で示すように、前記リード線８を流れる電流により発生する磁界φ１と第２の可動接触子５を流れる電流により発生する磁界φ２とが逆向きとなる。
【００１５】
これにより、第２の可動接触子５には上向きの電磁力Ｆ３、すなわち、第２の可動接触子５を閉極方向に向けて駆動する力が発生する。この電磁力Ｆ３は、図５（ａ）で述べた電磁力Ｆ２とは逆向きであることから、電流遮断時に、第２の可動接触子５の開極速度が低下するとともに、過電流の電流値によっては、第２の可動接触子が開極方向に駆動されずに、回路遮断器の限流遮断性能が低下するおそれがある。
【００１６】
そこで、本発明の課題は、電流遮断時に、リード線を流れる電流による磁界によって第２の可動接触子が閉極方向に駆動されるのを防止するようにした回路遮断器を提供することにある。
【課題を解決するための手段】
【００１７】
上記課題を達成するために、本発明によれば、第１の可動接点を有し、開閉機構により開閉駆動される第１の可動接触子と、前記第１の可動接点と接触する第２の可動接点を一端に有し、接触ばねにより前記第１の可動接触子に向かって付勢される回動自在な第２の可動接触子と、前記第２の可動接触子の他端に一端が接続され、前記第２の可動接触子と電流が逆向きとなるように配置されたリード線と、前記リード線の他端が電気的に接続される端子導体とを備えた回路遮断器において、前記リード線と前記第２の可動接触子との間に、磁気シールド材を設けるようにする。
【００１８】
上記回路遮断器において、前記磁気シールド材は、コ字状からなり、前記第２の可動接触子を包囲するように配置することが好ましい。また、前記磁気シールド材あるいは前記リード線に絶縁処理を施すようにしてもよい。
【発明の効果】
【００１９】
本発明によれば、第２の可動接触子とリード線との間に磁性体からなる磁気シールド材を設けたので、前記リード線を流れる電流による磁界を磁気シールド材により磁気シールドすることができ、電流遮断時に、リード線を流れる電流によって第２の可動接触子が閉極方向に駆動されるのを防止することができる。
【図面の簡単な説明】
【００２０】
【図１】本発明の実施形態を示す回路遮断器であり、（ａ）はオン状態を示す要部断面図、（ｂ）はオフ状態を示す要部断面図
【図２】図１（ｂ）のＡ−Ａ矢視断面図
【図３】従来の反発形の３極回路遮断器の閉路状態を示す要部縦断面図
【図４】図３に示す第２の可動接触子周辺の斜視図
【図５】図３に示す回路遮断器の動作説明図であり、（ａ）は回路遮断器のオン状態を示す動作説明図、（ｂ）はオフ状態を示す動作説明図
【図６】図５（ｂ）のＢ−Ｂ矢視断面図
【発明を実施するための形態】
【００２１】
以下、本発明の実施の形態を図１及び図２に基づいて説明する。
図１は、本発明の一実施形態を示すものであり、（ａ）は反発形の回路遮断器のオン状態を示す要部断面図、（ｂ）はオフ状態を示す要部断面図、図２は、図１（ｂ）のＡ−Ａ矢視断面図である。なお、実施例の図中で図３〜図６に対応する部材には同じ符号を付して説明する。
【００２２】
図において、２は図示しない本体ケースに固定された端子導体からなる電源側端子、４は一端に第１の可動接点４ａを有し、支点ピン４ｂを中心に回動する第１の可動接触子、５は一端に前記第１の可動接点４ａと接触する第２の可動接点５ａを有し、支点ピン５ｃを中心に回動する第２の可動接触子、７は第１の可動接触子４の他端に一端が接続された可撓性のリード線であり、他端が図示しない過電流引外し装置を介して負荷側端子に接続される。
【００２３】
８は前記電源側端子２に一端が接続されるとともに、他端が前記第２の可動接触子５の他端の両側面にそれぞれ接続され、前記第２の可動接触子５と電流が逆向きとなるように配置された可撓性のリード線、１０は第２の可動接触子５を第１の可動接触子４側に押圧するねじりばねからなる接触ばねである。
【００２４】
ここで、本実施形態では、前記第２の可動接触子５と前記リード線８、８との間に磁性体からなる磁気シールド材１２を設けている。この磁気シールド材１２は、図２に示すように、両側辺１２ａ、１２ａを有するコ字状からなり、コ字状の内側で前記第２の可動接触子５を包囲するとともに、コ字状の両側辺１２ａ，１２ａの外側にリード線８，８が位置するように本体ケース内に配置されている。
【００２５】
上述した構成において、電流ｉは、図１（ａ）に示すように、電源側端子２、リード線８、第２の可動接触子５、第２の可動接点５ａ、第１の可動接点４ａ、第１の可動接触子４、リード線７を経由して、図示しない過電流引外し装置、負荷側端子に流れる。
【００２６】
また、図２に示すように、第２の可動接触子５には、紙面の裏から表に電流が流れており、リード線８には、紙面の表から裏に電流が流れる。また、第２の可動接触子５には、該第２の可動接触子５を流れる電流によって磁界φ２が発生する。
【００２７】
ここで、図１（ａ）及び図２に示すように、リード線８と第２の可動接触子５との間には、逆向きの電流が流れるが、本実施形態によれば、前記リード線８と前記第２の可動接触子５との間に磁気シールド材１２を設けたことにより、リード線８を流れる電流によって発生する磁界は、磁気シールド材１２によって磁気シールドされる。
【００２８】
したがって、図６に示したリード線８から第２の可動接触子５に作用する電磁力Ｆ３が大幅に低減する。
その結果、電流遮断時に、第１の可動接触子４と第２の可動接触子５との間に発生する電磁反発力Ｆ２により、第２の可動接触子５は開極方向に開極するが、リード線８を流れる電流による磁界によって第２の可動接触子５が閉極方向に駆動されることがなくなる。
【００２９】
このように、本実施形態によれば、前記リード線８と前記第２の可動接触子５との間に磁気シールド材１２を設けたので、電流遮断時に、第２の可動接触子５の開極速度が低下することがなく、優れた限流遮断性能を発揮できる。
【００３０】
なお、本実施形態では、磁気シールド材１２をコ字状に形成するようにしたが、これに限定されることなく、第２の可動接触子５とリード線８との間に平板状の磁気シールド材をそれぞれ配置するようにしてもよい。
【００３１】
また、第２の可動接触子５に接続されたリード線８，８は、第２の可動接触子５の開閉動作に伴って変位するが、前記リード線８，８が磁気シールド材１２に接触するのを防止するために、前記リード線８，８と対応する磁気シールド材１２の両側面１２ａ，１２ａの外側に耐熱性の樹脂、例えば熱硬化性樹脂として不飽和ポリエステル樹脂などの絶縁処理を施し、リード線８，８と磁気シールド材１２との間を電気的に絶縁することが好ましい。
【００３２】
前記絶縁処理は、磁気シールド材１２の両側面１２ａ，１２ａの内側や内部に設けてもよく、磁気シールド材１２の全体を絶縁処理するようにしてもよい。また、磁気シールド材１２側ではなく、リード線８、８側に該リード線８、８をそれぞれ覆うように耐熱性の絶縁テープを設けて絶縁処理を施すようにしてもよい。
【００３３】
なお、前記絶縁処理は、前記磁気シールド材１２あるいは前記リード線８に施すようにしてもよいし、前記磁気シールド材１２と前記リード線８の両方に施すようにしてもよい。
【符号の説明】
【００３４】
２    電源側端子
４    第１の可動接触子
４ａ  第１の可動接点
５    第２の可動接触子
５ａ  第２の可動接点
８    リード線
１０    接触ばね
１２    磁気シールド材
【図１】
2011198586.tif 000003
【図２】
2011198586.tif 000004
【図３】
2011198586.tif 000005
【図４】
2011198586.tif 000006
【図５】
2011198586.tif 000007
【図６】
2011198586.tif 000008